(57)【要約】【課題】インターフェース機能がなくても他の印刷装置で印刷を行うことができるようにする。【解決手段】カバーフィルム２０６を搬送するテープ送りローラ駆動軸２１２と、搬送されるカバーフィルム２０６に印字を行う印字ヘッド２１３と、操作部２０３，２０４と、制御回路２４０と、メモリ２４２と、を有し、制御回路２４０がテープ送りローラ駆動軸２１２及び印字ヘッド２１３を制御して、印字ラベル１０を作成する第１印刷装置２００であって、制御回路２４０は、印字ラベル１０の印字内容に関する、操作部２０３，２０４を介した編集操作を受け付ける受付処理、受付処理で受け付けた編集結果に対応するテキストフォーマット情報を２次元コード化する２次元コード生成処理、２次元コード化したテキストフォーマット情報を印刷する印刷処理を実行する。【選択図】図８
2020163615.tif 000002
【特許請求の範囲】
【請求項１】
被印字媒体を搬送する搬送手段と、
前記搬送手段により搬送される前記被印字媒体に印字を行う印字手段と、
操作手段と、
制御手段と、
記憶手段と、
を有し、
前記制御手段が前記搬送手段及び前記印字手段を制御して、印刷物を作成する印刷装置であって、
前記制御手段は、
前記印刷物の印字内容に関する、前記操作手段を介した編集操作を受け付ける受付処理；
前記受付処理で受け付けた編集結果に対応するテキストフォーマット情報を２次元コード化する２次元コード生成処理；
２次元コード化した前記テキストフォーマット情報を印刷する印刷処理；
を実行することを特徴とする印刷装置。
【請求項２】
請求項１記載の印刷装置において、
前記２次元コード生成処理では、
前記テキストフォーマット情報と、前記印刷装置以外の他の印刷装置に対する印刷指示情報とを、２次元コード化し、
前記印刷処理では、
２次元コード化した前記テキストフォーマット情報及び前記印刷指示情報を印刷する
ことを特徴とする印刷装置。
【請求項３】
請求項１記載の印刷装置において、
前記２次元コード生成処理では、
前記テキストフォーマット情報と、前記印刷装置以外の他の印刷装置に対する記憶指示情報とを、２次元コード化し、
前記印刷処理では、
２次元コード化した前記テキストフォーマット情報及び前記記憶指示情報を印刷する
ことを特徴とする印刷装置。
【請求項４】
請求項１乃至請求項３のいずれか１項記載の印刷装置において、
前記２次元コード生成処理では、さらに
前記受付処理で受け付けた前記編集結果に対応するＣＧデータを２次元コード化し、
前記印刷処理では、さらに、
２次元コード化した前記ＣＧデータを印刷する
ことを特徴とする印刷装置。
【請求項５】
請求項１乃至請求項３のいずれか１項記載の印刷装置において、
前記２次元コード生成処理では、さらに
前記受付処理で受け付けた前記編集結果に対応するラスターデータを２次元コード化し、
前記印刷処理では、さらに、
２次元コード化した前記ラスターデータを印刷する
ことを特徴とする印刷装置。
【請求項６】
第１印刷装置と、第２印刷装置と、を有する印刷システムであって、
前記第１印刷装置は、
被印字媒体を搬送する第１搬送手段と、
前記第１搬送手段により搬送される前記被印字媒体に印字を行う第１印字手段と、
第１操作手段と、
前記第１搬送手段及び前記第１印字手段を制御して、第１印刷物を作成する第１制御手段と、
第１記憶手段と、
を有し、
前記第１制御手段は、
前記第１印刷物の印字内容に関する、前記第１操作手段を介した編集操作を受け付ける受付処理；
前記受付処理で受け付けた編集結果に対応するテキストフォーマット情報と、前記第２印刷装置に対する印刷指示情報とを、２次元コード化する２次元コード生成処理；
２次元コード化した前記テキストフォーマット情報及び前記印刷指示情報を印刷する印刷処理；
を実行し、
前記第２印刷装置は、
被印字媒体を搬送する第２搬送手段と、
前記第２搬送手段により搬送される前記被印字媒体に印字を行う第２印字手段と、
前記第２搬送手段及び前記第２印字手段を制御して、第２印刷物を作成する第２制御手段と、
前記第１印刷装置により印刷された前記２次元コード化した前記テキストフォーマット情報及び前記印刷指示情報を読み取る２次元コード読み取り手段と、
を有し、
前記第２制御手段は、
前記２次元コード読み取り手段により読み取った前記２次元コード化した前記テキストフォーマット情報及び前記印刷指示情報を復号化する２次元コード復号処理；
復号化した前記テキストフォーマット情報及び前記印刷指示情報に基づいて前記第２印刷物を作成する印刷物作成処理；
を実行する
ことを特徴とする印刷システム。
【請求項７】
第１印刷装置と、第２印刷装置と、を有する印刷システムであって、
前記第１印刷装置は、
被印字媒体を搬送する第１搬送手段と、
前記第１搬送手段により搬送される前記被印字媒体に印字を行う第１印字手段と、
第１操作手段と、
前記第１搬送手段及び前記第１印字手段を制御して、第１印刷物を作成する第１制御手段と、
第１記憶手段と、
を有し、
前記第１制御手段は、
前記第１印刷物の印字内容に関する、前記第１操作手段を介した編集操作を受け付ける受付処理；
前記受付処理で受け付けた編集結果に対応するテキストフォーマット情報と、前記第２印刷装置に対する記憶指示情報とを、２次元コード化する２次元コード生成処理；
２次元コード化した前記テキストフォーマット情報及び前記記憶指示情報を印刷する印刷処理；
を実行し、
前記第２印刷装置は、
被印字媒体を搬送する第２搬送手段と、
前記第２搬送手段により搬送される前記被印字媒体に印字を行う第２印字手段と、
前記第２搬送手段及び前記第２印字手段を制御して、第２印刷物を作成する第２制御手段と、
第２記憶手段と、
前記第１印刷装置により印刷された前記２次元コード化した前記テキストフォーマット情報及び前記記憶指示情報を読み取る２次元コード読み取り手段と、
を有し、
前記第２制御手段は、
前記２次元コード読み取り手段により読み取った前記２次元コード化した前記テキストフォーマット情報及び前記記憶指示情報を復号化する２次元コード復号処理；
復号化した前記テキストフォーマット情報及び前記記憶指示情報に基づいて前記テキストフォーマット情報を前記第２記憶手段に記憶する情報記憶処理；
を実行する
ことを特徴とする印刷システム。
【発明の詳細な説明】
【技術分野】
【０００１】
本発明は、他の印刷装置で印刷を行うことが可能な印刷装置及び印刷システムに関する。
【背景技術】
【０００２】
印字ラベルを作成する印刷装置において、例えばＵＳＢ、有線ＬＡＮ、無線ＬＡＮ等の、他の印刷装置と情報を送受信するためのインターフェース機能を有していない印刷装置が知られている（例えば、特許文献１参照）。
【先行技術文献】
【特許文献】
【０００３】
【特許文献１】特開２０１０−２８３１１１号公報
【発明の概要】
【発明が解決しようとする課題】
【０００４】
印刷装置を使用して印字ラベルを作成する際に、例えば当該印刷装置で作成可能な印字ラベルよりも幅広の印字ラベルを作成したい場合等、他の印刷装置を用いて印字ラベルを作成したい場合がある。しかしながら、上記従来技術の印刷装置ではインターフェース機能を有していないため、他の印刷装置を用いて印字ラベルを作成することができなかった。
【０００５】
本発明の目的は、インターフェース機能がなくても他の印刷装置で印刷を行うことが可能な印刷装置及び印刷システムを提供することにある。
【課題を解決するための手段】
【０００６】
上記目的を達成するために、本願発明は、被印字媒体を搬送する搬送手段と、前記搬送手段により搬送される前記被印字媒体に印字を行う印字手段と、操作手段と、制御手段と、記憶手段と、を有し、前記制御手段が前記搬送手段及び前記印字手段を制御して、印刷物を作成する印刷装置であって、前記制御手段は、前記印刷物の印字内容に関する、前記操作手段を介した編集操作を受け付ける受付処理、前記受付処理で受け付けた編集結果に対応するテキストフォーマット情報を２次元コード化する２次元コード生成処理、２次元コード化した前記テキストフォーマット情報を印刷する印刷処理、を実行することを特徴とする。
【０００７】
本発明の印刷装置では、制御手段が受付処理を実行する。受付処理では、印刷物の印字内容に関するユーザによる操作手段を介した編集操作を受け付ける。制御手段は、受付処理で受け付けた編集結果に対応するテキストフォーマット情報に基づいて、搬送手段及び印字手段を制御して、印刷物を作成する。
【０００８】
ここで、例えば当該印刷装置で作成可能な印刷物よりも大きな寸法の印刷物を作成したい場合がある。この場合、当該大きな寸法の印刷物を作成可能な他の印刷装置を用いて印刷物を作成する必要がある。しかしながら、例えばＵＳＢ、有線ＬＡＮ、無線ＬＡＮ等のインターフェース機能を有していない印刷装置の場合には、他の印刷装置と情報を送受信することができないため上記大きな寸法の印刷物を作成することができない。
【０００９】
そこで、本発明の印刷装置では、制御手段が２次元コード生成処理と印刷処理を実行する。２次元コード生成処理では、記憶手段に記憶したテキストフォーマット情報を２次元コード化し、印刷処理では、２次元コード化したテキストフォーマット情報を印刷する。これにより、他の印刷装置において２次元コード読み取り手段を用いて２次元コード化したテキストフォーマット情報を読み取り、当該テキストフォーマット情報に基づいて大きな寸法の印刷物を作成することが可能となる。このようにして、インターフェース機能を有していない印刷装置において、他の印刷装置で印刷を行うことができる。
【００１０】
また、テキストフォーマット情報は、フォーマットと文字を含む情報であるため、印刷データに比べてデータ量が少なく、印刷装置の処理負荷を軽減することができる。さらに、テキストフォーマット情報を使用することで、印刷装置間で解像度が異なる場合にも対応できる。例えば、下位モデルの印刷装置のテキストフォーマット情報を上位モデルの他の印刷装置に読み込ませることで、解像度を他の印刷装置に合わせることができ、より高品質（高解像度）な印刷物を作成することができる。
【００１１】
また、上記目的を達成するために、本願発明は、第１印刷装置と、第２印刷装置と、を有する印刷システムであって、前記第１印刷装置は、被印字媒体を搬送する第１搬送手段と、前記第１搬送手段により搬送される前記被印字媒体に印字を行う第１印字手段と、第１操作手段と、前記第１搬送手段及び前記第１印字手段を制御して、第１印刷物を作成する第１制御手段と、第１記憶手段と、を有し、前記第１制御手段は、前記第１印刷物の印字内容に関する、前記第１操作手段を介した編集操作を受け付ける受付処理、前記受付処理で受け付けた編集結果に対応するテキストフォーマット情報と、前記第２印刷装置に対する印刷指示情報とを、２次元コード化する２次元コード生成処理、２次元コード化した前記テキストフォーマット情報及び前記印刷指示情報を印刷する印刷処理、を実行し、前記第２印刷装置は、被印字媒体を搬送する第２搬送手段と、前記第２搬送手段により搬送される前記被印字媒体に印字を行う第２印字手段と、前記第２搬送手段及び前記第２印字手段を制御して、第２印刷物を作成する第２制御手段と、前記第１印刷装置により印刷された前記２次元コード化した前記テキストフォーマット情報及び前記印刷指示情報を読み取る２次元コード読み取り手段と、を有し、前記第２制御手段は、前記２次元コード読み取り手段により読み取った前記２次元コード化した前記テキストフォーマット情報及び前記印刷指示情報を復号化する２次元コード復号処理、復号化した前記テキストフォーマット情報及び前記印刷指示情報に基づいて前記第２印刷物を作成する印刷物作成処理、を実行することを特徴とする。
【００１２】
また、上記目的を達成するために、本願発明は、第１印刷装置と、第２印刷装置と、を有する印刷システムであって、前記第１印刷装置は、被印字媒体を搬送する第１搬送手段と、前記第１搬送手段により搬送される前記被印字媒体に印字を行う第１印字手段と、第１操作手段と、前記第１搬送手段及び前記第１印字手段を制御して、第１印刷物を作成する第１制御手段と、第１記憶手段と、を有し、前記第１制御手段は、前記第１印刷物の印字内容に関する、前記第１操作手段を介した編集操作を受け付ける受付処理、前記受付処理で受け付けた編集結果に対応するテキストフォーマット情報と、前記第２印刷装置に対する記憶指示情報とを、２次元コード化する２次元コード生成処理、２次元コード化した前記テキストフォーマット情報及び前記記憶指示情報を印刷する印刷処理、を実行し、前記第２印刷装置は、被印字媒体を搬送する第２搬送手段と、前記第２搬送手段により搬送される前記被印字媒体に印字を行う第２印字手段と、前記第２搬送手段及び前記第２印字手段を制御して、第２印刷物を作成する第２制御手段と、第２記憶手段と、前記第１印刷装置により印刷された前記２次元コード化した前記テキストフォーマット情報及び前記記憶指示情報を読み取る２次元コード読み取り手段と、を有し、前記第２制御手段は、前記２次元コード読み取り手段により読み取った前記２次元コード化した前記テキストフォーマット情報及び前記記憶指示情報を復号化する２次元コード復号処理、復号化した前記テキストフォーマット情報及び前記記憶指示情報に基づいて前記テキストフォーマット情報を前記第２記憶手段に記憶する情報記憶処理、を実行することを特徴とする。
【発明の効果】
【００１３】
本発明によれば、インターフェース機能がなくても他の印刷装置で印刷を行うことができる。
【図面の簡単な説明】
【００１４】
【図１】本発明の一実施形態である第１印刷装置と第２印刷装置を備えた印刷システムの全体構成を表す構成図である。
【図２】第１印刷装置の外観構造を表す斜視図である。
【図３】第１印刷装置の内部構造を表す斜視図である。
【図４】第１印刷装置に着脱されるカートリッジの内部構造を表す透視図である。
【図５】第１印刷装置の機能的構成を表すブロック図である。
【図６】テキストフォーマット情報のフォーマットの内容を説明するための印字ラベルの外観の一例を示す平面図である。
【図７】ファイルメモリメニューの画面遷移の一例を表す説明図である。
【図８】第１印刷装置の制御回路が実行する制御ルーチンの一例のフロー図である。
【図９】第２印刷装置のカートリッジホルダ周辺の構造を表す斜視図である。
【図１０】第２印刷装置に着脱されるカートリッジの内部構造を表す透視図である。
【図１１】第２印刷装置の機能的構成を表すブロック図である。
【図１２】第１印刷装置及び第２印刷装置により作成される印字ラベルの外観の一例を表す平面図である。
【図１３】第２印刷装置のＣＰＵが実行する制御ルーチンの一例のフロー図である。
【図１４】ＣＧデータ又はラスターデータを２次元コード化する変形例において、第１印刷装置及び第２印刷装置により作成される印字ラベルの外観の一例を表す平面図である。
【発明を実施するための形態】
【００１５】
以下、本発明の実施形態について、図面を参照しつつ説明する。なお、図示される実施形態の構成要素は、本発明の理解を助けるために縮尺が適宜変更されている。
【００１６】
＜印刷システムの全体構成＞
まず、本実施形態の印刷システム１００の全体構成について、図１を用いて説明する。図１に示すように、印刷システム１００は、第１印刷装置２００と、第２印刷装置３００とを有する。
【００１７】
第１印刷装置２００（印刷装置に相当）は、所望の印字を行った印字済みラベル用テープ２３０（後述の図４参照）を所定の長さに切断することにより印字ラベル１０（後述の図１２参照。印刷物、第１印刷物に相当）を作成する。
【００１８】
第２印刷装置３００は、所望の印字を行った印字済みラベル用テープ３２３（後述の図１０参照）を所定の長さに切断することにより印字ラベル４０（後述の図１２参照。第２印刷物に相当）を作成する。第２印刷装置３００は、第１印刷装置２００よりも幅の広い印字ラベルを作成することが可能である。
【００１９】
第１印刷装置２００は、例えば当該第１印刷装置２００で作成可能な印字ラベルよりも幅広の印字ラベルを作成したい場合等、他の第２印刷装置３００で印刷を行いたい場合に、所定の情報を含む２次元コード２１を印刷した印字ラベル２０（図１参照）を作成する。第２印刷装置３００には、例えばＵＳＢケーブル３０９を介してバーコードリーダＢＲ（２次元コード読み取り手段に相当）が接続されている。第２印刷装置３００は、上記印字ラベル２０に印刷された２次元コード２１をバーコードリーダＢＲにより読み取り復号化する。そして、復号化した情報に基づいて印字ラベルを作成したり、復号化した情報を保存することができる。この詳細については後述する。
【００２０】
＜第１印刷装置の構成＞
次に、第１印刷装置２００について、図２乃至図４を用いて説明する。なお、以下において第１印刷装置２００の前・後・左・右・上・下というときは、図２及び図３等に示す方向を指すものである。
【００２１】
図２に示すように、第１印刷装置２００の筐体２０２は、装置下面を構成する下カバー２１５と、装置側面を構成する横カバー２１６と、装置上面を構成する上カバー２１７とを有する。上カバー２１７には、前方向から後方向に向けて、文字入力等の種々の操作が行われるキーボード２０３、電源スイッチや印刷キー等の第１印刷装置２００の各種機能を実行させるための機能キー群２０４、及び入力した文字や記号等を表示するための液晶ディスプレイ等の表示部２０５が設けられている。また横カバー２１６の右側後方には、印字された印字済みラベル用テープ２３０（後述の図４参照）をカッタ２３４（後述の図４参照）を動作させてカットするためのカッターレバー２０７が設けられている。なお、以降、上記キーボード２０３及び上記機能キー群２０４を併せて「操作部２０３，２０４（操作手段、第１操作手段に相当）」と称する。
【００２２】
図３に示すように、第１印刷装置２００の下側後方には、印字済みラベル用テープ２３０を供給するカートリッジ２０８を着脱可能なカートリッジホルダ２０９が設けられている。このカートリッジホルダ２０９は、第１印刷装置２００の前端部を回転軸として開閉可能に構成された下カバー２１５を閉じると覆われ、下カバー２１５を開放すると露出される。カートリッジホルダ２０９には、カートリッジ２０８内の使用済みのインクリボン２１０（後述の図４参照）を巻き取るためのリボン巻き取り軸２１１と、印字済みラベル用テープ２３０を搬送するためのテープ送りローラ２２２を駆動するためのテープ送りローラ駆動軸２１２（搬送手段、第１搬送手段に相当）とが設けられている。またカートリッジホルダ２０９には、カバーフィルム２０６（被印字媒体に相当。後述の図４参照）に所望の印字を行う印字ヘッド２１３（印字手段、第１印字手段に相当）が、カートリッジ装着時にその開口部２１４に位置するように設けられている。
【００２３】
図４に、カートリッジ２０８の内部構造を示す。なおこの図４には、カートリッジ２０８の内部構造と共に、第１印刷装置２００の印刷機構の一部である、印字ヘッド２１３やローラホルダ２１９等を図示している。
【００２４】
図４に示すように、カートリッジ２０８には、透明なフィルムであるカバーフィルム２０６と、カバーフィルム２０６に転写されるインクを表面に塗布されたインクリボン２１０と、印刷が行われたカバーフィルム２０６の裏面に貼り合わされる、当該カバーフィルム２０６と同一テープ幅である基材テープ２２０とが、それぞれ回転自在に設置されたリール部材に巻回されてロール状に構成されたロール２２５，２２６，２２７が設けられている。またこれらのロール２２５，２２６，２２７の間には、印刷に使用された後のインクリボン２１０を巻き取るリボン巻き取りローラ２２１が設けられている。さらにカートリッジ２０８には、開口部２１４近傍において、基材テープ２２０とカバーフィルム２０６とを押圧し接着させて印字済みラベル用テープ２３０としつつ、当該印字済みラベル用テープ２３０をカートリッジ２０８の外部に排出する上記テープ送りローラ２２２が設けられている。
【００２５】
また第１印刷装置２００側に設けられたローラホルダ２１９は、印字ヘッド２１３と対向する位置に配置されたプラテンローラ２１８を保持すると共に、テープ送りローラ２２２と対向する位置に配置されたテープ圧接ローラ２２３を保持する。プラテンローラ２１８とテープ圧接ローラ２２３とは、ローラホルダ２１９に回転可能に取り付けられており、またローラホルダ２１９は、ホルダ軸２２４により回動可能に取り付けられている。ローラホルダ２１９の回動により、プラテンローラ２１８とテープ圧接ローラ２２３とは、印字ヘッド２１３及びテープ送りローラ２２２に押圧される印字位置Ａ（図４中実線で示す）と、印字ヘッド２１３及びテープ送りローラ２２２から離間されるリリース位置Ｂ（図４中２点鎖線で示す）とのいずれかの位置に保持される。
【００２６】
上記構成であるカートリッジ２０８をカートリッジホルダ２０９に装着すると、カートリッジホルダ２０９に設けられたリボン巻き取り軸２１１及びテープ送りローラ駆動軸２１２は、カートリッジ２０８のリボン巻き取りローラ２２１及びテープ送りローラ２２２に、それぞれ連結される。そして、下カバー２１５が閉じられると、上記ローラホルダ２１９が回動して印字位置Ａとなり、プラテンローラ２１８とテープ圧接ローラ２２３とが印字ヘッド２１３及びテープ送りローラ２２２に押圧される。その後、印字ラベル作成時には、リボン巻き取りローラ２２１及びテープ送りローラ２２２が回転駆動される。これにより、カバーフィルム２０６とインクリボン２１０とがそれぞれのロール２２５，２２６より繰り出され、重ね合わされて印字ヘッド２１３に搬送され、所定の印字が行われる。そして、使用済みのインクリボン２１０は印刷が行われたカバーフィルム２０６と離れて、リボン巻き取りローラ２２１に巻き取られる。一方、印刷が行われたカバーフィルム２０６は、テープ送りローラ２２２により、ロール２２７より繰り出された基材テープ２２０と貼り合わせられて印字済みラベル用テープ２３０とされ、当該印字済みラベル用テープ２３０は外部に排出される。そして、前述したカッターレバー２０７が操作されることによって、印字済みラベル用テープ２３０がカッタ２３４により所定の長さに切断され、印字ラベル１０等が作成される。
【００２７】
なお、印字ラベル作成後、下カバー２１５が開放されると、ローラホルダ２１９が回動してリリース位置Ｂとなり、プラテンローラ２１８とテープ圧接ローラ２２３とが印字ヘッド２１３及びテープ送りローラ２２２より離間する。これにより、カートリッジ２０８をカートリッジホルダ２０９より脱着することが可能となる。
【００２８】
＜第１印刷装置の機能的構成＞
次に、第１印刷装置２００の機能的構成について、図５を用いて説明する。
【００２９】
図５に示すように、第１印刷装置２００は、印字ヘッド２１３を制御してカバーフィルム２０６に対する所望の印字を行わせる印刷駆動回路２３１と、テープ送りローラ２２２を駆動する送りローラ用モータ２３２と、送りローラ用モータ２３２を制御する送りローラ駆動回路２３３と、操作部２０３，２０４と、表示部２０５と、印刷駆動回路２３１や送りローラ駆動回路２３３等を介して第１印刷装置２００の全体動作を制御すると共に表示部２０５の表示内容を制御する制御回路２４０（制御手段、第１制御手段に相当）と、例えばＲＡＭやＲＯＭ等からなるメモリ２４２（記憶手段、第１記憶手段に相当）と、電源回路２４３とを備えている。メモリ２４２の上記ＲＯＭ等には、後述する図８のフローの各手順（処理）を実行するためのプログラムが記憶されている。なお、第１印刷装置２００は、例えばＵＳＢ、有線ＬＡＮ、無線ＬＡＮ、Ｂｌｕｅｔｏｏｔｈ（登録商標）等のインターフェース機能を有していない。
【００３０】
制御回路２４０は、印字ラベルの印字内容に関する、操作部２０３，２０４を介した編集操作を受け付ける受付処理を実行する。「印字内容」には、例えばテキスト文字やシンボルの内容、枠の有無や種類、フォントの種類、サイズの種類、ラベル幅の種類、スタイルの種類、改行情報等が含まれる。
【００３１】
また制御回路２４０は、上記受付処理で受け付けた編集結果に対応するテキストフォーマット情報を２次元コード化する２次元コード生成処理を実行する。「２次元コード化」の符号化方式は特に限定されるものではないが、例えばＱＲコード（登録商標）やカラーコード等である。
【００３２】
「テキストフォーマット情報」は、フォーマットと文字に関する情報である。「フォーマット」は、例えば枠の有無や種類、フォントの種類、サイズの種類、ラベル幅の種類、スタイルの種類、改行情報等を含む。「文字」は、テキスト文字やシンボル等を含む。
【００３３】
上記フォーマットの詳細について説明する。フォーマットには、例えば印字ラベル毎に変わるもの（以下適宜「ＧＦ（グローバルフォーマット）」という）、ブロック毎に変わるもの（以下適宜「ＢＦ（ブロックフォーマット）」という）、改行毎に変わるもの（以下適宜「ＬＦ（ラインフォーマット）」という）が含まれる。
【００３４】
図６に、フォーマットを説明するための印字ラベルの外観の一例を示す。図６に示す印字ラベル３０は、第１ブロック３０ａと第２ブロック３０ｂの２ブロックで構成されている。この場合、テキストフォーマット情報は例えば「ＧＦ  ＢＦ  ＬＦ  １２３  ＬＦ  ４５６  ＢＦ  ＬＦ  １２３」のようになる。ＧＦは、例えば枠の有無や種類、フォントの種類、サイズの種類、ラベル幅の種類、スタイルの種類等の情報を保管する。ＢＦは、例えばフォントの種類、サイズの種類、ラベル幅の種類、スタイルの種類等の情報を保管する。また、改ブロックする毎にＢＦ情報が増える。ＬＦは、例えばフォントの種類、サイズの種類、ラベル幅の種類、スタイルの種類等の情報を保管する。また、改行する毎にＬＦ情報が増える。ユーザは、ＧＦ、ＢＦ、ＬＦ単位でどのフォーマットを変更するか設定できる。
【００３５】
図６に示す印字ラベル３０の場合、テキストフォーマット情報「ＧＦ  ＢＦ  ＬＦ  １２３  ＬＦ  ４５６  ＢＦ  ＬＦ  １２３」の例えば下線部分のフォーマットが変更されている。つまり、第１ブロック３０ａの１行目のフォント種類が変更され、且つ、２行目のサイズが変更されている。なお、優先順位はＬＦ＞ＢＦ＞ＧＦとなっており、ＬＦの設定が最も優先され、次にＢＦ、その次にＧＦとなる。個別に設定されていない場合には、上位のフォーマットに従う。
【００３６】
図５に戻り、制御回路２４０は、２次元コード化したテキストフォーマット情報を印刷する印刷処理を実行する。これにより、図１に示すようにテキストフォーマット情報を２次元コード化して生成された２次元コード２１を印字した印字ラベル２０が作成される。
【００３７】
なお、上述の２次元コード生成処理では、テキストフォーマット情報に加えて印刷指示情報又は記憶指示情報が併せて２次元コード化される。印刷指示情報は、第１印刷装置２００以外の他の印刷装置、すなわち第２印刷装置３００に対する印刷指示情報であり、後述するファイルメモリメニューにおいて「ファイルメモリを他モデルで印刷」の指示が行われた場合に２次元コード化される。また、記憶指示情報は、第１印刷装置２００以外の他の印刷装置、すなわち第２印刷装置３００に対する記憶指示情報であり、後述するファイルメモリメニューにおいて「ファイルメモリを他モデルへ移行」の指示が行われた場合に２次元コード化される。そして、印刷処理において２次元コード化したテキストフォーマット情報及び印刷指示情報又は記憶指示情報が印刷される。
【００３８】
図７に、表示部２０５に表示されるファイルメモリメニュー画面の一例を示す。図７に示す例では、ファイルメモリメニューのトップ画面２７０において、ユーザが適宜の操作を行うことにより「ファイルメモリを印刷」の指示画面２７１に移行することができる。当該指示画面２７１において、ユーザは操作部２０３，２０４を介して例えば「Ｙ」ボタンを押すことにより、第１印刷装置２００に対して現在開かれているファイルメモリの印刷を指示することができる。一方、例えば「Ｎ」ボタンを押すことによりトップ画面２７０に戻ることができる。
【００３９】
上記指示画面２７１において、ユーザが適宜の操作を行うことにより「ファイルメモリをセーブ」の指示画面２７２に移行することができる。当該指示画面２７２において、ユーザは操作部２０３，２０４を介して例えば「Ｙ」ボタンを押すことにより、第１印刷装置２００に対して現在開かれているファイルメモリのメモリ２４２への記憶（保存）を指示することができる。一方、例えば「Ｎ」ボタンを押すことによりトップ画面２７０に戻ることができる。
【００４０】
上記指示画面２７２において、ユーザが適宜の操作を行うことにより「ファイルメモリを開く」の指示画面２７３に移行することができる。当該指示画面２７３において、ユーザは操作部２０３，２０４を介して例えば「Ｙ」ボタンを押すことにより、図示しないファイルメモリの選択画面に移行し、メモリ２４２に記憶されているファイルメモリの中から所望のファイルメモリを開くこと（読み出し）を指示することができる。一方、例えば「Ｎ」ボタンを押すことによりトップ画面２７０に戻ることができる。
【００４１】
上記指示画面２７３において、ユーザが適宜の操作を行うことにより「ファイルメモリを他モデルで印刷」の指示画面２７４に移行することができる。当該指示画面２７４において、ユーザは操作部２０３，２０４を介して例えば「Ｙ」ボタンを押すことにより、上述した第２印刷装置３００に対する印刷指示情報を生成し、テキストフォーマット情報と共に２次元コード化することができる。一方、例えば「Ｎ」ボタンを押すことによりトップ画面２７０に戻ることができる。
【００４２】
上記指示画面２７４において、ユーザが適宜の操作を行うことにより「ファイルメモリを他モデルへ移行」の指示画面２７５に移行することができる。当該指示画面２７５において、ユーザは操作部２０３，２０４を介して例えば「Ｙ」ボタンを押すことにより、上述した第２印刷装置３００に対する記憶指示情報を生成し、テキストフォーマット情報と共に２次元コード化することができる。一方、例えば「Ｎ」ボタンを押すことによりトップ画面２７０に戻ることができる。
【００４３】
なお、上記指示画面２７５において、ユーザが適宜の操作を行うことにより上述した「ファイルメモリを印刷」の指示画面２７１に移行することができる。
【００４４】
＜第１印刷装置の制御回路が実行する制御ルーチン＞
次に、第１印刷装置２００の制御回路２４０が実行する制御ルーチンを、図８のフロー図を参照しつつ説明する。なお、図８に示す制御ルーチンは、第１印刷装置２００の電源がＯＮである間は繰り返し実行される。
【００４５】
ステップＳ１において、制御回路２４０は、印字ラベルの印字内容に関する、操作部２０３，２０４を介した編集操作を受け付ける受付処理を実行し、ステップＳ２へと処理を移す。
【００４６】
ステップＳ２において、制御回路２４０は、上述したファイルメモリメニューにおいてユーザにより印刷指示又は移行指示のいずれかが行われたか否かを判定する。印刷指示又は移行指示のいずれも行われていないと判定した場合（Ｎｏ）には、上記ステップＳ１へと処理を移す。一方、印刷指示又は移行指示のいずれかが行われたと判定した場合（Ｙｅｓ）には、ステップＳ３へと処理を移す。
【００４７】
ステップＳ３において、制御回路２４０は、上述したファイルメモリメニューにおいてユーザにより印刷指示又は移行指示のどちらが行われたかを判定する。印刷指示が行われたと判定した場合には、ステップＳ４へと処理を移す。
【００４８】
ステップＳ４において、制御回路２４０は、上記ステップＳ１で受け付けた編集結果に対応するテキストフォーマット情報をメモリ２４２に記憶する記憶処理を実行し、ステップＳ５へと処理を移す。
【００４９】
ステップＳ５において、制御回路２４０は、上記ステップＳ４でメモリ２４２に記憶したテキストフォーマット情報と、ユーザにより入力された印刷指示情報を２次元コード化する２次元コード生成処理を実行し、ステップＳ６へと処理を移す。
【００５０】
ステップＳ６において、制御回路２４０は、上記ステップＳ５で２次元コード化したテキストフォーマット情報及び印刷指示情報を印刷する印刷処理を実行し、このルーチンを終了する。これにより、テキストフォーマット情報及び印刷指示情報を２次元コード化して生成された２次元コード２１を印字した印字ラベル２０（図１参照）が作成される。
【００５１】
なお、上記ステップＳ３において、移行指示が行われたと判定した場合には、ステップＳ７へと処理を移す。
【００５２】
ステップＳ７において、制御回路２４０は、上記ステップＳ１で受け付けた編集結果に対応するテキストフォーマット情報と、ユーザにより入力された記憶指示情報を２次元コード化する２次元コード生成処理を実行し、ステップＳ８へと処理を移す。
【００５３】
ステップＳ８において、制御回路２４０は、上記ステップＳ７で２次元コード化したテキストフォーマット情報及び記憶指示情報を印刷する印刷処理を実行し、このルーチンを終了する。これにより、テキストフォーマット情報及び記憶指示情報を２次元コード化して生成された２次元コード２１を印字した印字ラベル２０（図１参照）が作成される。
【００５４】
＜第２印刷装置の構成＞
次に、第２印刷装置３００について、図９及び図１０を用いて説明する。
【００５５】
図９に、第２印刷装置３００の開閉蓋（図示省略）を開いた状態での筐体３０１の内部のカートリッジホルダ３２７及びそれに装着させるカートリッジ３１０の外観構成を示す。また図１０に、カートリッジ３１０の内部構造をカートリッジホルダ３２７の周辺部分とともに示す。
【００５６】
図９及び図１０に示すように、第２印刷装置３００の筐体３０１の内部には、カートリッジ３１０を着脱可能なカートリッジホルダ３２７と、印字ヘッド３１９（第２印字手段に相当）と、テープ送りローラ駆動軸３３０（第２搬送手段に相当）と、リボン巻取りローラ駆動軸３３１とが設けられている。カートリッジ３１０には、ヘッド挿通開口３３９が形成されている。
【００５７】
カートリッジ３１０は、基材テープ３１６を巻回した基材テープロール３１７と、被印字媒体であるカバーフィルム３１１を巻回したカバーフィルムロール３１２と、印字用のインクリボン３１３（但し被印字媒体が感熱テープの場合は不要）を繰り出すリボン供給側ロール３１４と、印字後のインクリボン３１３を巻取るリボン巻取りローラ３１５と、テープ送りローラ３１８とを有している。
【００５８】
基材テープロール３１７は、基材テープ用スプール３１７ａの周りに、上記基材テープ３１６を巻回している。カバーフィルムロール３１２は、カバーフィルム用スプール３１２ａの周りに、この例では上記基材テープ３１６と略同じ幅である上記カバーフィルム３１１を巻回している。リボン供給側ロール３１４は、リボン供給側スプール３１４ａの周りに、上記インクリボン３１３を巻回している。リボン巻取りローラ３１５は、リボン巻取りスプール３１５ａを備えており、カートリッジホルダ３２７側の上記リボン巻取りローラ駆動軸３３１により駆動されることで、印字済み（使用済み）のインクリボン３１３を巻取り、リボン巻取りスプール３１５ａに巻回する。
【００５９】
テープ送りローラ３１８は、カートリッジホルダ３２７側の上記テープ送りローラ駆動軸３３０により駆動されることで、上記基材テープ３１６と上記カバーフィルム３１１とを押圧し接着させ印字済みラベル用テープ３２３としつつ、図１０中矢印Ｔで示す方向にテープ送りを行う。
【００６０】
なお、上記リボン巻取りローラ３１５及びテープ送りローラ３１８は、それぞれカートリッジ３１０外に設けた例えばパルスモータであるテープ送りモータ３３３（後述の図１１参照）の駆動力が図示しないギヤ機構を介し上記リボン巻取りローラ駆動軸３３１及びテープ送りローラ駆動軸３３０に伝達されることによって連動して回転駆動される。
【００６１】
カートリッジホルダ３２７は、第１印刷装置２００のカートリッジホルダ２０９よりもテープ幅が広いカートリッジを装着可能である。カートリッジホルダ３２７は、上記印字ヘッド３１９と、上記リボン巻取りローラ駆動軸３３１と、上記テープ送りローラ駆動軸３３０と、ローラホルダ３２２とを有している。
【００６２】
印字ヘッド３１９は、多数の発熱素子を備えており、上記カバーフィルムロール３１２から繰り出されて搬送されるカバーフィルム３１１に対し、印字形成を行う。テープ送りローラ駆動軸３３０は、カバーフィルムロール３１２から繰り出される（供給される）上記カバーフィルム３１１と、基材テープロール３１７から繰り出される上記基材テープ３１６とを、上記テープ送りローラ３１８を駆動させることにより搬送する。
【００６３】
ローラホルダ３２２は、支持軸３２９により回動可能に支持され、切換機構により印字位置とリリース位置に切換可能である。このローラホルダ３２２には、プラテンローラ３２０及びテープ圧接ローラ３２１が回転可能に配設されており、ローラホルダ３２２が上記印字位置に切り換えられたときに、それらプラテンローラ３２０及びテープ圧接ローラ３２１が上記印字ヘッド３１９及びテープ送りローラ３１８に対し圧着されるようになっている。
【００６４】
さらに、カートリッジホルダ３２７には、印字済みラベル用テープ３２３の排出口３５０（図１参照）に隣接してカッタ３２８が配設されている。このカッタ３２８は、ソレノイド３３５（後述の図１１参照）が励磁されることにより作動し、印字済みラベル用テープ３２３を厚さ方向に全切断し、印字ラベル４０を生成する（後述する図１２参照）。
【００６５】
＜第２印刷装置及の機能的構成＞
次に、第２印刷装置３００の機能的構成について、図１１を用いて説明する。
【００６６】
図１１に示すように、第２印刷装置３００は制御回路３４０を備えている。制御回路３４０には、ＣＰＵ３４４（第２制御手段に相当）が設けられており、このＣＰＵ３４４に、データバス３４２を介し、入出力インターフェース３４１、ＲＯＭ３４６、メモリ３４７、ＲＡＭ３４８、及び通信用インターフェース３４３が接続されている。通信用インターフェース３４３は、上記ＵＳＢケーブル３０９を介し上記バーコードリーダＢＲに接続されている。
【００６７】
ＲＯＭ３４６には、制御上必要な各種のプログラム（後述の図１３に示す制御手順を実行するプログラムを含む）が格納されている。ＣＰＵ３４４は、このようなＲＯＭ３４６に記憶されている各種プログラムに基づいて各種の演算を行う。ＲＡＭ３４８は、ＣＰＵ３４４により演算された各種の演算結果等を一時的に記憶する。
【００６８】
入出力インターフェース３４１には、上記印字ヘッド３１９を駆動するための印字ヘッド駆動回路３３２と、テープ送りモータ駆動回路３３４と、上記ソレノイド３３５を駆動するソレノイド駆動回路３３６と、所望の表示を行う表示部３３７が接続されている。
【００６９】
テープ送りモータ駆動回路３３４は、テープ送りモータ３３３を駆動することにより、前述のテープ送りローラ駆動軸３３０及びリボン巻取りローラ駆動軸３３１を駆動し、基材テープ３１６、カバーフィルム３１１、及び印字済みラベル用テープ３２３の搬送を行う。
【００７０】
ソレノイド駆動回路３３６は、上記カッタ３２８を駆動して切断動作を行わせるソレノイド３３５を励磁する。
【００７１】
ＣＰＵ３４４は、バーコードリーダＢＲにより読み取った２次元コード２１を復号化する２次元コード復号処理を実行する。そして、復号化した情報に、テキストフォーマット情報に加えて印刷指示情報が含まれていた場合には、ＣＰＵ３４４は、当該テキストフォーマット情報及び印刷指示情報に基づいて印字ラベル４０を作成する印刷物作成処理を実行する。このようにして、インターフェース機能を有していない第１印刷装置２００で編集された印字内容に対応した印刷を、第２印刷装置３００で行うことができる。
【００７２】
例えば、図１２に示すように、第１印刷装置２００で作成可能な最大幅Ｗ１の印字ラベル１０よりも大きな幅Ｗ２の印字ラベル４０を、印字ラベル１０に対応した印刷内容で作成することができる。図１２に示す例では、印刷内容は、所定のフォント種類及びサイズの「ＡＢＣＤＥ」からなるテキスト１１と、例えば巻物状の枠１２とを含む内容となっている。また前述のように、テキストフォーマット情報はフォーマットと文字からなる情報であるため、印刷データ（例えばＣＧデータや、ドットパターンからなるラスターデータ等）に比べてデータ量が少なく、印刷装置の処理負荷を軽減することができる。さらに、テキストフォーマット情報を使用することで、印刷装置２００，３００間で解像度が異なる場合にも対応できる。例えば、第２印刷装置３００が第１印刷装置２００よりも性能が良い上位モデルである場合に、第１印刷装置２００で作成されたテキストフォーマット情報を第２印刷装置３００に読み込ませることで、解像度を第２印刷装置３００に合わせることができ、より高品質（高解像度）な印字ラベルを作成することができる。
【００７３】
またＣＰＵ３４４は、復号化した情報に、テキストフォーマット情報に加えて記憶指示情報が含まれていた場合には、当該テキストフォーマット情報及び記憶指示情報に基づいてテキストフォーマット情報をファイルメモリとしてメモリ３４７（又はＲＡＭ３４８）に記憶する情報記憶処理を実行する。このようにして、インターフェース機能を有していない第１印刷装置２００で作成されたテキストフォーマット情報を第２印刷装置３００に移行できる。したがって、その後は当該第２印刷装置３００において、移行されたテキストフォーマット情報に基づく印字ラベルを何度でも作成することが可能となる。
【００７４】
＜第２印刷装置のＣＰＵが実行する制御ルーチン＞
次に、第２印刷装置３００のＣＰＵ３４４が実行する制御ルーチンを、図１３のフロー図を参照しつつ説明する。なお、図１３に示す制御ルーチンは、第２印刷装置３００の電源がＯＮである間は繰り返し実行される。
【００７５】
ステップＳ１１において、ＣＰＵ３４４は、バーコードリーダＢＲを使用して２次元コード２１の読み取り操作が行われたか否かを判定する。読み取り操作が行われていないと判定した場合（Ｎｏ）には、読み取り操作が行われるまでループ待機する。一方、読み取り操作が行われたと判定した場合（Ｙｅｓ）には、ステップＳ１２へと処理を移す。
【００７６】
ステップＳ１２において、ＣＰＵ３４４は、バーコードリーダＢＲにより２次元コード２１を読み取り、読み取った２次元コード２１を復号化してテキストフォーマット情報及び指示情報を取得する２次元コード復号処理を実行し、ステップＳ１３へと処理を移す。
【００７７】
ステップＳ１３において、ＣＰＵ３４４は、上記ステップＳ１２で取得した指示情報が印刷指示情報（印刷指示）又は記憶指示情報（移行指示）のどちらであるかを判定する。印刷指示情報（印刷指示）であると判定した場合には、ステップＳ１４へと処理を移す。
【００７８】
ステップＳ１４において、ＣＰＵ３４４は、上記ステップＳ１２で取得したテキストフォーマット情報及び印刷指示情報に基づいて印字ラベル４０を作成する印刷物作成処理を実行し、このルーチンを終了する。
【００７９】
なお、上記ステップＳ１３において、記憶指示情報（移行指示）であると判定した場合には、ステップＳ１５へと処理を移す。
【００８０】
ステップＳ１５において、ＣＰＵ３４４は、上記ステップＳ１２で取得したテキストフォーマット情報及び記憶指示情報に基づいてテキストフォーマット情報をファイルメモリとしてメモリ３４７（又はＲＡＭ３４８）に記憶する情報記憶処理を実行し、このルーチンを終了する。
【００８１】
＜実施形態の効果＞
以上説明した実施形態によれば、次のような効果を得ることができる。すなわち、一般に印刷装置においてはカートリッジホルダに装着可能なカートリッジの最大テープ幅が規定されており、当該最大テープ幅よりも大きな幅の印字ラベルは作成することができない。このため、印刷装置で作成可能な印字ラベルよりも幅の広い印字ラベルを作成したい場合には、当該幅広の印字ラベルを作成可能な他の印刷装置を用いて印字ラベルを作成する必要がある。しかしながら、印刷装置が例えばＵＳＢ、有線ＬＡＮ、無線ＬＡＮ等のインターフェース機能を有していない場合には、他の印刷装置と情報を送受信することができないため上記幅広の印刷物を作成することができない。
【００８２】
そこで、本実施形態の第１印刷装置２００では、制御回路２４０が２次元コード生成処理と印刷処理を実行する。２次元コード生成処理では、メモリ２４２に記憶したテキストフォーマット情報を２次元コード化し、印刷処理では、２次元コード化したテキストフォーマット情報を印刷する。これにより、他の第２印刷装置３００においてバーコードリーダＢＲを用いて２次元コード化したテキストフォーマット情報を読み取り、当該テキストフォーマット情報に基づいて幅広の印字ラベルを作成することができる。このようにして、インターフェース機能を有していない第１印刷装置２００において、他の第２印刷装置３００で印刷を行うことができる。
【００８３】
また、テキストフォーマット情報は、フォーマット（例えば印字ラベルの枠の有無、フォントの種類、サイズ種類、幅種類、スタイル種類、改行情報等）と文字（テキスト文字、シンボル等）を含む情報であるため、印刷データ（例えばドットパターンからなるラスターデータ等）に比べてデータ量が少なく、印刷装置２００，３００の処理負荷を軽減することができる。さらに、テキストフォーマット情報を使用することで、印刷装置２００，３００間で解像度が異なる場合にも対応できる。例えば、下位モデルの第１印刷装置２００のテキストフォーマット情報を上位モデルの第２印刷装置３００に読み込ませることで、解像度を第２印刷装置３００に合わせることができ、より高品質（高解像度）な印刷物を作成することができる。
【００８４】
また、本実施形態では特に、第１印刷装置２００において、制御回路２４０が実行する２次元コード生成処理では、テキストフォーマット情報と、第１印刷装置２００以外の他の第２印刷装置３００に対する印刷指示情報とを２次元コード化し、印刷処理では、２次元コード化したテキストフォーマット情報及び印刷指示情報を印刷する。
【００８５】
これにより、第２印刷装置３００においてバーコードリーダＢＲにより２次元コード化したテキストフォーマット情報及び印刷指示情報が読み取られると、印刷指示情報にしたがって直ちに印字ラベル４０の作成が開始される。したがって、第２印刷装置３００に対する印刷指示を行う手間を省くことができ、ユーザの利便性を向上できる。
【００８６】
また、本実施形態では特に、第１印刷装置２００において、制御回路２４０が実行する２次元コード生成処理では、テキストフォーマット情報と、第１印刷装置２００以外の他の第２印刷装置３００に対する記憶指示情報とを２次元コード化し、印刷処理では、２次元コード化したテキストフォーマット情報及び記憶指示情報を印刷する。
【００８７】
これにより、第２印刷装置３００においてバーコードリーダＢＲにより２次元コード化したテキストフォーマット情報及び記憶指示情報が読み取られると、記憶指示情報にしたがってテキストフォーマット情報が当該第２印刷装置３００のメモリ３４７又はＲＡＭ３４８等に記憶される。このようにして、テキストフォーマット情報を第１印刷装置２００から第２印刷装置３００に移行できる。したがって、その後は第２印刷装置３００において移行されたテキストフォーマット情報に基づいて何度でも印字ラベルを作成することが可能となるので、ユーザの利便性を向上できる。
【００８８】
＜変形例＞
なお、本発明は、上記実施形態に限られるものではなく、その趣旨及び技術的思想を逸脱しない範囲内で種々の変形が可能である。以下、そのような変形例について順次説明する。
【００８９】
（１）ＣＧデータ又はラスターデータを２次元コード化する場合
印刷装置によっては、そのモデル固有のデータ（例えば印字ラベルにおけるキャラクターモデルの枠やシンボル等）を有する場合がある。この場合、上記実施形態のようにテキストフォーマット情報を他の印刷装置に移行しても、他の印刷装置において固有のデータ部分については印刷することができない。そこで、テキストフォーマット情報に加えて、そのような固有のデータについてはＣＧデータ又はラスターデータとしてメモリ２４２に記憶し、２次元コード生成処理でＣＧデータ又はラスターデータを２次元コード化し、印刷処理で２次元コード化したＣＧデータ又はラスターデータを印刷してもよい。
【００９０】
「ＣＧデータ」は、コンピュータグラフィックスに使用される画像データであればデータ形式は特に限定されるものではないが、例えばビットマップデータやベクターデータ等である。
【００９１】
また、「ラスターデータ」は、印字ヘッド２１３へ出力されるドットパターンデータ（ドット単位のオン・オフデータ）である。図示は省略するが、前述のメモリ２４２には図示しない印字バッファが設けられており、この印字バッファには、テキスト文字や枠、シンボル等の印字用ドットパターンがドットパターンデータとして格納され、印字ヘッド２１３はこの印字バッファに記憶されているドットパターンデータに従ってドット印字を行う。
【００９２】
本変形例の第１印刷装置２００では、制御回路２４０は、前述の２次元コード生成処理において、テキストフォーマット情報及び指示情報（印刷指示情報又は記憶指示情報）に加えて、受付処理で受け付けた編集結果に対応するＣＧデータ又はラスターデータについても２次元コード化する。具体的には、ユーザが編集した印刷内容に第１印刷装置２００のモデルに固有のデータであるキャラクターモデルの枠やシンボル等が含まれる場合に、当該固有のデータ部分に対応するＣＧデータ又はラスターデータを２次元コード化する。また制御回路２４０は、印刷処理において、当該２次元コード化したテキストフォーマット情報及び指示情報並びにＣＧデータ又はラスターデータを印刷する。
【００９３】
そして、第２印刷装置３００においてバーコードリーダＢＲを用いて２次元コード化したデータを読み取って復号化し、テキストフォーマット情報及びＣＧデータ又はラスターデータに基づいて印字ラベルを作成することができる。このようにして、移行元の第１印刷装置２００に固有のデータであり移行先の第２印刷装置３００にはないデータについても、第２印刷装置３００で印刷を行うことができる。
【００９４】
なお、上記ＣＧデータ又はラスターデータを移行する際に、移行元の第１印刷装置２００にはないサイズを移行先の第２印刷装置３００で印刷する場合には、移行された上記ＣＧデータ又はラスターデータに対して、例えば倍角処理や間引き処理等を行って必要なサイズのデータを作成する。
【００９５】
本変形例によれば、例えば図１４に示すように、第１印刷装置２００で作成可能な最大幅Ｗ１の印字ラベル１０Ａよりも大きな幅Ｗ２の印字ラベル４０Ａを、印字ラベル１０Ａに対応した印刷内容（第１印刷装置２００のモデルに固有のデータを含む）で作成することができる。図１４に示す例では、印刷内容には、例えば犬キャラクタである前枠１３と、例えば「ＡＢ」の文字からなるテキスト１４と、例えばケーキであるシンボル１５と、例えば「ＤＥ」の文字からなるテキスト１６と、例えばクラッカーである後枠１７とが含まれる。この例では、前枠１３、シンボル１５、及び後枠１７が、第１印刷装置２００のモデルに固有のデータである。
【００９６】
また、第２印刷装置３００で読み取ったテキストフォーマット情報及びＣＧデータ又はラスターデータを当該第２印刷装置３００のメモリ３４７等に記憶させることで、テキストフォーマット情報及びＣＧデータ又はラスターデータを第２印刷装置３００に移行できる。したがって、その後は当該第２印刷装置３００において移行されたＣＧデータ又はラスターデータを何度でも（例えば印字ラベルにおけるキャラクターモデルの枠やシンボル等として）使用することが可能となるので、ユーザの利便性を向上できる。
【００９７】
（２）その他
以上において、印字の終了した印字済みラベル用テープをカッタで切断して印字ラベルを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタで切断しなくても、テープが排出口から排出されてきた後にラベル台紙（対応する印字がなされたもの）のみをテープから剥がして印字ラベルを作成しても良く、本発明はこのようなものに対しても適用できる。
【００９８】
また、以上においては、基材テープとは別のカバーフィルムに印字を行ってこれらを貼り合わせる方式であったが、これに限られず、基材テープに備えられた被印字テープ層に印字を行う方式（貼りあわせを行わないタイプ）に本発明を適用してもよい。
【００９９】
さらに、以上は、基材テープがリール部材の周りに巻回されてロールを構成し、カートリッジ内にそのロールが配置されて基材テープが繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジを印刷装置側のカートリッジホルダに装着して、上記収納部から移送、搬送して印字及び書き込みを行い印字ラベルを作成するようにしてもよい。
【０１００】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１０１】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【０１０２】
なお、以上において、図５及び図１１等の各図中に示す矢印は信号の流れの一例を示すものであり、信号の流れ方向を限定するものではない。
【０１０３】
また、図８及び図１３に示すフローチャートは本発明を上記フローに示す手順に限定するものではなく、発明の趣旨及び技術的思想を逸脱しない範囲内で手順の追加・削除又は順番の変更等をしてもよい。
【０１０４】
また、以上既に述べた以外にも、上記実施形態や各変形例による手法を適宜組み合わせて利用しても良い。
【０１０５】
その他、一々例示はしないが、本発明は、その趣旨を逸脱しない範囲内において、種々の変更が加えられて実施されるものである。
【符号の説明】
【０１０６】
１０                  印字ラベル（印刷物、第１印刷物）
４０                  印字ラベル（第２印刷物）
１００                印刷システム
２００                第１印刷装置
２０３，２０４        操作部（操作手段、第１操作手段）
２０６                カバーフィルム（被印字媒体）
２０８                カートリッジ
２１２                テープ送りローラ駆動軸（搬送手段、第１搬送手段）
２１３                印字ヘッド（印字手段、第１印字手段）
２４０                制御回路（制御手段、第１制御手段）
２４２                メモリ（記憶手段、第１記憶手段）
３００                第２印刷装置
３１９                印字ヘッド（第２印字手段）
３３０                テープ送りローラ駆動軸（第２搬送手段）
３４４                ＣＰＵ（第２制御手段）
ＢＲ                  バーコードリーダ（２次元コード読み取り手段）
【図１】
2020163615.tif 000003
【図２】
2020163615.tif 000004
【図３】
2020163615.tif 000005
【図４】
2020163615.tif 000006
【図５】
2020163615.tif 000007
【図６】
2020163615.tif 000008
【図７】
2020163615.tif 000009
【図８】
2020163615.tif 000010
【図９】
2020163615.tif 000011
【図１０】
2020163615.tif 000012
【図１１】
2020163615.tif 000013
【図１２】
2020163615.tif 000014
【図１３】
2020163615.tif 000015
【図１４】
2020163615.tif 000016